(57)【特許請求の範囲】
【請求項１】
屋外に設置される玄関子機（１）と、前記玄関子機からの呼出に応答し通話を行なう居室親機（１００）とを備え、
前記玄関子機は、上ケース（２ｂ）、下ケース（２ｃ）で囲繞され、ＬＡＮケーブル（Ｌ）のコネクタが接続される接続端子（３）を有し、
前記玄関子機の下ケースには、前記ＬＡＮケーブルが折り返して配設されるＵ字配線処理溝（１６）と、前記ＬＡＮケーブルが直線状に配設される直線配線処理溝（５ｂ）とを設け、前記下ケースには、前記接続端子及び前記コネクタを覆うためのカバー（２１）が取り付けられ、
前記カバーはスライドガイド（８）にしたがってスライドさせたときに前記下ケースに対して固定部（１８）により固定されることを特徴とするインターホン装置。
【請求項２】
前記カバーの取り付け時に、前記下ケースに当接して、押し込まれても前記カバーが湾曲しないように、前記カバーの背面に補強リブ（１０）を設けることを特徴とする請求項１記載のインターホン装置。
【発明の詳細な説明】
【技術分野】
【０００１】
本発明はインターホン装置に係り、特にインターホン装置にＬＡＮケーブル等を接続する場合において、ＬＡＮケーブル等の配線を効率よく行うことが可能なインターホン装置に関する。
【背景技術】
【０００２】
インターホン装置は屋外に設置される玄関子機と屋内に設置される居室親機とから構成されており、玄関子機と居室親機との間は信号伝送線により接続されている。信号伝送線は、玄関子機からの呼び出し、居室親機からの応答等における信号の授受に用いられるもので、従来２本の通信線により接続されていた。そして、これら２本の信号伝送線は玄関子機内部の接続端子部分にビス止めにより固定されていた（例えば、非特許文献１参照）。
【０００３】
【非特許文献１】アイホン株式会社製ハンズフリーテレビドアホン２・３形  ＪＡ―２ＭＥＣＤ―Ｔ、ＪＡ―２ＭＣＤ―Ｔ  工事説明書、２００２年１０月発行
【発明の開示】
【発明が解決しようとする課題】
【０００４】
しかしながら、近年ではインターホン装置においても伝送すべき情報量が多くなり、玄関子機と居室親機との間の伝送を従来の通信線に比べてより容量の大きいＬＡＮケーブルにより接続することも多くなってきている。また、国によっては従来の通信線に比べてＬＡＮケーブルが安価に入手できるところもあり、そういった国においてはＬＡＮケーブルを使用することが望まれるため、今後インターホン装置におけるＬＡＮケーブルによる通信がますます増加することが予想される。
【０００５】
ＬＡＮケーブルは通常端末部分にコネクタが取り付けられており、玄関子機の接続端子部においてもコネクタ接続が行われている。このようなＬＡＮケーブルは多くの情報量を伝送するために従来の通信線に比べると太く、また剛性も大きいため、例えば狭い場所にコネクタ接続するような場合には取り扱いに困難を来すようなこともあった。
【０００６】
また、玄関子機の設置場所によっては、ＬＡＮケーブルの配線の状況により玄関子機への接続の際にＬＡＮケーブルに無理な曲げが加わるなどの問題が生じることもあった。さらに、例えばＬＡＮケーブルに無理な曲げが加わった状態で玄関子機に接続されている場合には、ＬＡＮケーブルに何らかの外部的な力が付加された時に玄関子機の接続端子部分が、搭載されている接続端子用基板からはずれるという不都合が生じる場合もあった。
【０００７】
本発明は、上述の難点を解消するためになされたもので、通信線としてＬＡＮケーブルを用いてコネクタ形式で接続するような構造であっても、ＬＡＮケーブルの配線状況にかかわらず効率よく接続できるとともに、玄関子機の接続端子が、搭載されている接続端子用基板からはずれるなどの不都合の生じないインターホン装置を提供することを目的としている。
【課題を解決するための手段】
【０００８】
本発明のインターホン装置は、まず第１の態様として、屋外に設置される玄関子機と、玄関子機からの呼出に応答し通話を行なう居室親機とを備え、玄関子機は、上ケース、下ケースで囲繞され、ＬＡＮケーブルのコネクタが接続される接続端子を有し、玄関子機の下ケースには、ＬＡＮケーブルが折り返して配設されるＵ字配線処理溝と、ＬＡＮケーブルが直線状に配設される直線配線処理溝とを設け、下ケースには、接続端子及びコネクタを覆うためのカバーが取り付けられ、カバーはスライドガイドにしたがってスライドさせたときに下ケースに対して固定部により固定されることを特徴とする。
【０００９】
また本発明のインターホン装置は、第２の態様として、第１の態様において、カバーの取り付け時に、下ケースに当接して、押し込まれてもカバーが湾曲しないようにカバーの背面に補強リブを設けることを特徴とする。
【発明の効果】
【００１０】
本発明の第１の態様によれば、玄関子機の設置場所やＬＡＮケーブルの配線状況に関わりなく効率よく配線処理することが可能になるとともに、ＬＡＮケーブルの接続端子部にカバーを取り付けることにより、ＬＡＮケーブルを覆うことができるとともに、カバーを下ケースに固定しているので、ＬＡＮケーブルを誤って引っ張りあげたとしても、カバーがはずれるような懸念がない。
【００１１】
本発明の第２の態様によれば、カバーの背面に補強リブを備えているので、機器を壁面に取り付ける場合であっても、カバーが湾曲することがなく施工性が向上する。
【発明を実施するための最良の形態】
【００１２】
以下、本発明によるインターホン装置を適用した好ましい実施の形態について図面を参照して説明する。
【００１３】
図１は、本発明によるインターホン装置における全体の機器構成図である。
【００１４】
図１において、本発明のインターホン装置は、玄関子機１及び居室親機１００から構成されており、玄関子機１と居室親機１００の間はＬＡＮケーブルＬにより接続されている。ここで、玄関子機１はカメラ１１、記名プレート１２、子機用マイク１３、子機用スピーカ１４、呼出ボタン１５を有している。また、居室親機１００はモニタ１０１、親機用マイク１０２、親機用スピーカ１０３、通話ボタン１０４を有している。
【００１５】
図２は玄関子機１の斜視図を示している。図２（ａ）は玄関子機１の構成各部の分解斜視図を表しており、玄関子機１は化粧パネル２ａ、上ケース２ｂ、下ケース２ｃから組み合わされている。図２（ｂ）は図２（ａ）における化粧パネル２ａ、上ケース２ｂ、下ケース２ｃを全て組み合わせた後の斜視図を表しており、図２（ｃ）は玄関子機１の裏面、即ち下ケース２ｃの裏面側から見た斜視図を表している。
【００１６】
また、図３は玄関子機１の正面及び裏面から見た図であり、図３（ａ）は化粧パネル２ａ側から見た正面図、図３（ｂ）は下ケース２ｃ側から見た裏面図である。図３（ｂ）において、下ケース２ｃの裏面には後述するＬＡＮケーブルのコネクタ（モジュラープラグ）を接続する接続端子（モジュラージャック）を覆うカバー２１が取り付けられている。このカバー２１はＬＡＮケーブルを接続端子にコネクタ接続する際などに開閉できるような機構となっている。
【００１７】
さらに、図４は上ケース２ｂを裏面側から見た図である。上ケース２ｂには接続端子用基板１７に搭載されたＬＡＮケーブルを接続するための接続端子３が備えられており、電子部品が搭載されたメイン基板（図示せず）に電気的に接続されている。このメイン基板にはインターホン装置を動作させる各電子部品が搭載されている。
【００１８】
次に、図５に下ケース２ｃを裏面から見た図及びその要部拡大図を示す。図５（ａ）は下ケース２ｃを裏面から見た図、図５（ｂ）は図５（ａ）の波線で囲んだ付近の要部拡大図である。なお、図５は前述したカバー２１を開けて接続端子部分がわかるように図示されている。
【００１９】
図５（ｂ）において、下ケース２ｃには下ケース２ｃと上ケース２ｂが組み合わせられた時に上ケース２ｂに備えられた接続端子３が下ケース２ｃの背面から露出されるように図２（ｃ）に示すような接続端子用孔９が設けられている。下ケース２ｃに露出された接続端子３にはＬＡＮケーブルの配線の状況により、例えば一点鎖線で示すＵ字配線処理溝１６に沿わせてＬＡＮケーブルをＵ字状に折り返して端末のコネクタを接続したり、ＬＡＮケーブルが玄関子機１の下部から配線されている時には直線配線処理溝５ｂからＬＡＮケーブルを挿入して接続端子３にコネクタ接続できるようになっている。
【００２０】
このような玄関子機１について、以下、組み立て並びにＬＡＮケーブルの接続について説明する。
【００２１】
まず、上ケース２ｂに子機用スピーカ１４および子機用マイク１３を取り付けると共にカメラ１１を搭載した基板および電子部品を搭載した基板をそれぞれ固定する。また、図４で示したように接続端子３を搭載した接続端子用基板１７も上ケース２ｂにリブ等を用いて仮固定する。
【００２２】
次に、下ケース２ｃを上ケース２ｂと嵌合させてネジ止めして固定する。ここで、上述したように下ケース２ｃには、接続端子３が下ケース２ｃの背面側に露出するように接続端子用孔９が設けられている。当該接続端子用孔９は、接続端子３と略同程度の大きさであって、接続端子用基板１７よりも小さく構成されているものである。これにより、上ケース２ｂと下ケース２ｃとで挟み込んだ場合、接続端子用基板１７により固定され、接続端子３が安定して下ケース２ｃの背面から露出する。ただし、基板を用いた挟み込み固定の場合、接続端子３にＬＡＮケーブルを接続した状態でＬＡＮケーブルが引っ張られると接続端子３が接続端子用基板１７からはずれて破損してしまう虞がある。これを回避するために、下ケース２ｃには、接続端子３に接続されるＬＡＮケーブル等の通信線を引っ張っても接続端子３が接続端子用基板１７からはずれないように、接続端子３が接続端子用基板１７と接触する面と対向する面Ｓを固定するために延設させた図５（ｂ）に示すようなツメ７を備える。これにより、接続端子３と接続端子用基板１７が当該ツメ７により強固に固定され、ＬＡＮケーブル等の通信線を引っ張っても接続端子３が破損することはない。なお、上記実施の形態ではツメ７を用いて固定しているが、これに限らず基板と接触する面と対向する面を固定するものが下ケースと一体的に構成されているものであればよい。
【００２３】
さらに、上記実施の形態においてはＬＡＮケーブルを用いているがその他、どのような通信線であっても好適である。また、今まで述べてきた実施の形態では接続端子がコネクタ形式のものであるがこれに限らずネジ式であってもよく、この場合にはネジ式の接続端子を接続端子用基板に搭載すればよい。
【００２４】
このように上ケース２ｂと下ケース２ｃとを嵌合した後に化粧パネル２ａを上ケース側に取り付ける。
【００２５】
次に、ＬＡＮケーブルを接続する場合について説明する。下ケース２ｃの裏面側は図２（ｃ）に示すように構成されている。ここで例えばＬＡＮケーブルを玄関子機１の下部、即ち底面側から接続端子３に挿入する場合、接続端子３の入線部分は図２（ｃ）に示すようにガイド傾斜部６を備えているので、接続端子３に向かって傾斜させることにより入線しやすい構造となっている。これはＬＡＮケーブルがＵ字配線処理溝１６に沿って配置され、接続端子３に接続される場合も同様である。即ち、ＬＡＮケーブルがＵ字状に折り返され、その先端部のコネクタをガイド傾斜部６の傾斜に沿って接続端子３に向けて入線するようにすればよい。
【００２６】
なお、下ケース２ｃには図２（ｃ）あるいは図３（ｂ）に示すように接続端子３を覆うためのカバー２１が取り付けられている。このカバー２１は図２（ｃ）に示すように一つの軸を中心に回動できるようになっており、ＬＡＮケーブルの接続時あるいは接続後など状況に応じて開閉できるようになっている。また、カバー２１を軸を中心に回動させ接続端子３を覆うようにする際には玄関子機の下部、即ち底面方向に図５（ｂ）に示すスライドガイド８に従ってスライドさせて、下ケース２ｃとカバー２１とを固定部１８でツメ等により嵌合させることで固定することもできる。従って、ＬＡＮケーブルを覆うことが可能であると同時にカバー２１が下ケース２ｃに固定されているのでＬＡＮケーブルを引っ張ってもカバーがはずれるというような懸念がない。
【００２７】
これにより、玄関子機の設置状況に応じて配線処理が可能となり、特にＬＡＮケーブルのような比較的太くて剛性の大きいケーブルであっても狭い空間に位置する接続端子に挿入する際に効率よく入線することができる。
【００２８】
また、玄関子機は様々な箇所に取り付けられるので、カバーの部分が壁等により押さえ込まれ湾曲してしまう虞があるが、本発明では、図２（ｃ）あるいは図５（ｂ）に示すようにカバー２１の背面に補強リブ１０を設けるようにしている。この補強リブ１０は下ケース２ｃに当接されるようになっているため、これによりカバー２１が壁から押された場合であっても当該補強リブの作用によってカバーが湾曲することを防ぐことができる。
【００２９】
ところで、玄関子機は屋外に設置されるために通常風雨に曝される環境下にある。特に雨が降った際に雨水が玄関子機内に浸入し、速やかに排水されない場合には玄関子機内の電子部品やＬＡＮケーブルの接続部等に障害が起き、インターホン装置に誤作動が生じるなどの不都合が起きることも懸念される。
【００３０】
本発明のインターホン装置における玄関子機では、接続端子３をカバー２１で覆っているために水の浸入を防ぐことができる。もし万一水が内部に浸入したとしても、図５（ｂ）に示すように接続端子３の３方向を壁４で囲んでいるために、壁４とその外側のＵ字配線処理溝１６の一方の壁１９、また壁４と下ケース２ｃの側面２０との間で排水用の溝２２が形成されることになり、玄関子機内部に浸入してきた水はこの排水用の溝２２に沿って流れ、直線配線処理溝５ｂから外部に排水されることになる。
【００３１】
なお、水が排水用の溝２２に沿って流れる際に外部に排水されやすいように図５（ｂ）に示すように水抜き傾斜部５ａを設けるとよい。このような構成により万一水が玄関子機内に浸入したとしても接続端子にまで水が入り込むことを防止することができる。
【図面の簡単な説明】
【００３２】
【図１】本発明のインターホン装置の全体の機器構成を表す図である。
【図２】本発明のインターホン装置における玄関子機の斜視図である。
【図３】本発明のインターホン装置における玄関子機の正面図及び裏面図である。
【図４】本発明のインターホン装置における玄関子機の上ケースの裏面図である。
【図５】本発明のインターホン装置における玄関子機の下ケースの裏面図及びその要部拡大図である。
【符号の説明】
【００３３】
１          玄関子機
２ａ        化粧パネル
２ｂ        上ケース
２ｃ        下ケース
３          接続端子
４          壁
５ａ        水抜き傾斜部
５ｂ        直線配線処理溝
６          ガイド傾斜部
７          ツメ
８          ガイド
９          接続端子用孔
１０        リブ
１１        カメラ
１２        記名プレート
１３        子機用マイク
１４        子機用スピーカ
１５        呼出ボタン
１６        Ｕ字配線処理溝
１７        接続端子用基板
１８        固定部
１９        Ｕ字配線処理溝の壁
２０        下ケース側面
２１        カバー
２２        排水用の溝
１００      居室親機
１０１      モニタ
１０２      親機用マイク
１０３      親機用スピーカ
１０４      通話ボタン
【図１】
0004824399.tif 000002
【図２】
0004824399.tif 000003
【図３】
0004824399.tif 000004
【図４】
0004824399.tif 000005
【図５】
0004824399.tif 000006